(57)【要約】【課題】  一つの端子ボルトに複数の電線を接続する際に、裸電線の接続を容易に行えるとともに、圧着端子を結合した電線を隣接させて接続しても十分な締付力で複数の電線を端子ボルトに接続することができる入出力端子を提供する。【解決手段】  端子ボルト１２に接続される裸電線１３の先端を接続位置に案内するための筒状ガイド部２６を設け、該筒状ガイド部の内面に、端子ボルト側基部から先端に向かって拡開する電線ガイド面２５を設けるとともに、該裸電線１３に隣接して接続される他の電線１４側の筒状ガイド部外面を、該他の電線を挟持する溝形金具２１の電線挟持面２１ｂよりも突出しない形状とした。【選択図】  図１
2006260937.tif 000002
【特許請求の範囲】
【請求項１】
端子板に設けた一つの端子ボルトに複数の電線を接続可能とした入出力端子において、前記端子ボルトに接続される一つの電線の先端を端子ボルトの側方からあらかじめ設定された電線接続位置に案内するための筒状ガイド部を設け、該筒状ガイド部の内面に、端子ボルト側基部から先端に向かって拡開する電線ガイド面を設けるとともに、該一つの電線に隣接して接続される他の電線側の筒状ガイド部外面を、該他の電線を挟持する挟持部材の電線挟持面の延長線よりも突出しない形状としたことを特徴とする入出力端子。
【請求項２】
前記筒状ガイド部は、電線の先端を挟持する一対の挟持部材の一側方に設けられ、反端子板側に配置される一方の挟持部材は端子板側が開口した溝形に形成され、端子板側に配置される他方の挟持部材は前記一方の挟持部材の溝内に収納される幅寸法を有する板状体であって、該板状体の長さ方向の一側端部が前記一方の挟持部材から離れる方向に屈曲していることを特徴とする請求項１記載の入出力端子。
【請求項３】
前記一つの電線は、前記端子ボルトに固着された雌ねじ部材の側方に開口した電線挿入口から先端を挿入した状態で雌ねじ部材の反端子板側に螺着されるボルトを締め付けることにより端子ボルトに接続され、前記筒状ガイド部は、前記電線挿入口の外部に、該電線挿入口側基部から先端に向かって拡開した状態で突設していることを特徴とする請求項１記載の入出力端子。
【発明の詳細な説明】
【技術分野】
【０００１】
本発明は、入出力端子に関し、詳しくは、エンジン発電機、エンジン溶接機、油圧ユニット等に設けられる入出力端子であって、特に、端子板に複数設けられている入出力端子の一つの端子ボルトに複数の電線を接続する際の裸電線を接続する部分の構造に関する。
【背景技術】
【０００２】
エンジン発電機やエンジン溶接機、油圧ユニット等に設けられている出力端子に電線を接続する構造として、端子板に設けた端子ボルトに螺着するナットを締め付けることにより、金具や座金、ワッシャ等の間に電線を挟持する形態が広く用いられている（例えば、特許文献１参照。）。また、筐体に固定された端子に金具を介して電線をビスにて締め付ける構造において、金具の端部をビス側に曲げて電線の挿入を容易にしたものも知られている（例えば、特許文献２参照。）。
【特許文献１】実開平７−１５６８号公報
【特許文献２】実開平２−７７６７３号公報（第６頁、第４図）
【発明の開示】
【発明が解決しようとする課題】
【０００３】
しかし、特許文献１に記載された入出力端子では、裸電線を接続するときに電線の端末を完全にまとめ上げてから接続部に挿入しなければならず、さらに、入出力端子の位置によっては、無理な姿勢で作業を行う必要があった。また、一つの端子ボルトに２本の電線を接続する際には、通常、電線の間にワッシャ等を介在させて接続するようにしているため、特許文献２に記載されているように、金具の端部を単に折り曲げて拡開させただけでは、隣接する電線の接続が困難になってしまう。特に、圧着端子を結合した電線を隣接させて接続するときには、折り曲げた金具と圧着端子とが干渉してナットやボルトを十分に締め付けられないことがあった。
【０００４】
そこで本発明は、一つの端子ボルトに複数の電線を接続する際に、裸電線の接続を容易に行えるとともに、圧着端子を結合した電線を隣接させて接続しても十分な締付力で複数の電線を端子ボルトに接続することができる入出力端子を提供することを目的としている。
【課題を解決するための手段】
【０００５】
上記目的を達成するため、本発明の入出力端子は、端子板に設けた一つの端子ボルトに複数の電線を接続可能とした入出力端子において、前記端子ボルトに接続される一つの電線の先端を端子ボルトの側方からあらかじめ設定された電線接続位置に案内するための筒状ガイド部を設け、該筒状ガイド部の内面に、端子ボルト側基部から先端に向かって拡開する電線ガイド面を設けるとともに、該一つの電線に隣接して接続される他の電線側の筒状ガイド部外面を、該他の電線を挟持する挟持部材の電線挟持面の延長線よりも突出しない形状としたことを特徴としている。
【０００６】
また、本発明の入出力端子は、前記構成において、前記筒状ガイド部が電線の先端を挟持する一対の挟持部材の一側方に設けられ、反端子板側に配置される一方の挟持部材は端子板側が開口した溝形に形成され、端子板側に配置される他方の挟持部材は前記一方の挟持部材の溝内に収納される幅寸法を有する板状体であって、該板状体の長さ方向の一側端部が前記一方の挟持部材から離れる方向に屈曲していることを特徴としている。
【０００７】
さらに、本発明の入出力端子は、前記一つの電線が前記端子ボルトに固着された雌ねじ部材の側方に開口した電線挿入口から先端を挿入した状態で雌ねじ部材の反端子板側に螺着されるボルトを締め付けることにより端子ボルトに接続されるものでり、前記筒状ガイド部が前記電線挿入口の外部に、該電線挿入口側基部から先端に向かって拡開した状態で突設していることを特徴としている。
【発明の効果】
【０００８】
本発明の入出力端子によれば、端子ボルトに裸電線を接続する場合でも、先端に向かって円錐状又は角錐状に拡開する電線ガイド面を設けた筒状ガイド部によって裸電線の先端を端子ボルトの所定の接続位置に案内することができるので、裸電線の端末を完全にまとめ上げなくても簡単に接続することができる。さらに、端子ボルトが低い位置等に設けられている場合でも、楽な姿勢で電線の接続作業を行うことができる。
【０００９】
また、隣接して接続される他の電線側の筒状ガイド部を該他の電線を挟持する挟持部材の電線挟持面の延長線よりも突出しない形状としたことにより、圧着端子を結合した他の電線を隣接させて接続する場合でも、圧着端子と筒状ガイド部とが干渉することがなく、各電線を十分に締付固定することができる。したがって、一つの端子ボルトに、圧着端子を結合した電線と圧着端子を結合しない裸電線とを容易かつ確実に接続することができる。
【００１０】
さらに、電線の先端を挟持する一対の挟持部材を溝形の部材と板状の部材とで形成し、板状体の長さ方向一側端部を屈曲させて前記筒状ガイド部を形成することにより、裸電線を案内する筒状ガイド部を簡単に製作することができる。さらに、端子ボルトに固着した雌ねじ部材に側方から電線の先端を挿入するものでは、電線挿入口の外部に筒状ガイド部を突設させるだけでよく、この場合も簡単に製作することができる。
【発明を実施するための最良の形態】
【００１１】
図１乃至図３は、本発明の入出力端子の第１形態例を示すもので、図１は要部の断面正面図、図２は底面図、図３は構成部材の説明図である。本形態例に示す入出力端子１１は、一つの端子ボルト１２の出力側に２本の電線１３，１４を接続できるように形成されており、一方の電線１３は先端部の被覆を取り除いた裸電線の状態で、他方の電線１４は先端に圧着端子１５を結合した状態で接続するようにしている。
【００１２】
端子ボルト１２は、端子板１６の通孔１６ａに挿通された状態で、端子板１６を挟んで端子ボルト１２に螺合する回転止め部材１７と固定ナット１８とによって端子板１６に固定されている。なお、回転止め部材１７は、通常は端子ボルト１２の中間部の所定位置に固定されており、端子板１６の背面側に突出した端子ボルト１２には、図示しない入力側の電線が接続される。
【００１３】
端子板１６の出力側には、２本の係合ピン１９により回り止めされた前記回転止め部材１７と、被覆を取り除いた電線（以下、裸電線という）１３を挟持する一対の挟持部材である板状金具２０及び溝形金具２１と、圧着端子１５を挟持する一対の挟持部材を構成する前記溝形金具２１及びワッシャ２２と、緩み止めとなるスプリングワッシャ２３と、これらを締付固定する締付ナット２４とが配置されている。
【００１４】
裸電線１３に対して反端子板側に配置される前記溝形金具２１は、端子板１６側が開口した断面コ字状の溝形に形成されており、端子ボルト１２を挿通するボルト挿通孔２１ａは、該溝形金具２１の中央に対して長手方向に変位した位置に設けられている。このボルト挿通孔２１ａに端子ボルト１２を挿通すると、溝形金具２１は、その一側方（下方）が前記回転止め部材１７の一端面（下端面）１７ａよりも突出するように形成されている。
【００１５】
また、裸電線１３に対して端子板側に配置される前記板状金具２０は、前記溝形金具２１の溝内面寸法よりも僅かに小さな幅寸法を有し、溝形金具２１の溝内に収納されて回転不能かつボルト軸方向に移動可能な大きさを有する板状体であって、この板状金具２０のボルト挿通孔２０ａも、前記溝形金具２１と同様に板状金具２０の中央に対して長手方向に変位した位置に設けられ、ボルト挿通孔２０ａに端子ボルト１２を挿通したときに、板状金具２０の長さ方向の一側端部が溝形金具２１と同方向（下方）に突出するように形成されている。さらに、回転止め部材１７の一端面１７ａよりも下方に突出した板状金具２０の一側端部２０ｂは、溝形金具２１から離れる方向、すなわち、端子板１６側に向かって屈曲している。
【００１６】
このように、板状金具２０及び溝形金具２１の一側方を他の回転止め部材１７やワッシャ２２、締付ナット２４等の各部材に対して側方に突出させるとともに、板状金具２０の一側端部を溝形金具２１から離れる方向に向かって屈曲させることにより、板状金具２０と溝形金具２１とに囲まれた部分の内面に端子ボルト側基部から先端に向かって拡開する電線ガイド面２５を設けた筒状ガイド部２６が形成される。
【００１７】
締付ナット２４を緩めた状態で裸電線１３を前記筒状ガイド部２６内に挿入すると、裸電線１３の先端が電線ガイド面２５によって板状金具２０と溝形金具２１との間に案内されて端子ボルト１２の部分まで挿入されるので、裸電線１３の端末が完全にまとめ上げられていなくても、先端をあらかじめ設定された電線接続位置に配置することができる。また、裸電線１３の先端を筒状ガイド部２６に挿入するだけで接続できるので、端子ボルト１２の位置にかかわらず楽な姿勢で裸電線１３の接続作業を行うことができる。
【００１８】
さらに、隣接して接続される電線１４の圧着端子１５を挟持する一方の挟持部材と兼用される溝形金具２１は長さ方向を屈曲させずに、その反端子板側の電線挟持面２１ｂを平面としているので、筒状ガイド部２６の電線１４側の外面が電線挟持面２１ｂと同一面となり、圧着端子１５を挟持したときに圧着端子１５と溝形金具２１とが干渉することがない。
【００１９】
したがって、端子板１６に設けた端子ボルト１２に所定の順序で前記回転止め部材１７から圧着端子１５を含めて締付ナット２４までの各部材を装着した状態で裸電線１３を筒状ガイド部２６内に所定長さ挿入した後、締付ナット２４を締め付けることにより、裸電線１３を容易かつ確実に接続するとともに、電線１４の圧着端子１５も確実に接続することができる。また、接続時の裸電線１３は、板状金具２０及び溝形金具２１の内部に収まった状態となるので、外観上も良好なものとなる。
【００２０】
図４乃至図６は、第１形態例の変形例をそれぞれ示す要部の正面図である。なお、以下の説明において、前記第１形態例で示した入出力端子における構成要素と同一の構成要素には、それぞれ同一符号を付して詳細な説明は省略する。
【００２１】
まず、図４に示すものは、前記第１形態例における板状金具２０を省略し、前記回転止め部材１７の反端子板側面を電線挟持面１７ｂとして使用し、該電線挟持面１７ｂの一側を前記溝形金具２１の突出方向に突出させるとともに、該突出部を溝形金具２１から離れる方向の傾斜面１７ｃとし、該傾斜面１７ｃと溝形金具２１とに囲まれた部分の内面を、端子ボルト側基部から先端に向かって拡開する電線ガイド面２５を設けた筒状ガイド部２６としている。
【００２２】
図５に示すものは、前記板状金具２０の一側端部を溝形金具２１側が凸となる円弧面２０ｃで溝形金具２１から離れる方向に屈曲させている。また、図６に示すものは、前記板状金具２０の一側端部を溝形金具２１側が凹となる円弧面２０ｄで溝形金具２１から離れる方向に屈曲させている。
【００２３】
図７乃至図９は、本発明の入出力端子の第２形態例を示すもので、図７は要部の断面正面図、図８は側面図、図９は底面図である。本形態例に示す入出力端子は、端子板１６から突出した端子ボルト１２に、径方向の電線挿通孔３１を設けた雌ねじ部材３２を固着し、電線挿通孔３１の一方の開口（電線挿入口）３３から裸電線１３の先端を挿入した状態で、雌ねじ部材３２の反端子板側に螺着される締付ボルト３４を締め付けることにより、該締付ボルト３４の先端で裸電線１３を圧着して端子ボルト１２に接続する構造を有している。
【００２４】
このような構造を有する入出力端子では、前記電線挿入口３３の外部に、該電線挿入口３３側の基部３５ａから先端３５ｂに向かって拡開した状態の筒状ガイド部３５を突設し、その内面の円錐面からなる電線ガイド面３５ｃによって裸電線１３の先端を電線挿通孔３１に案内するように形成する。なお、基部３５ａは、雌ねじ部材３２の外周面に溶接や接着によって固着してもよく、基部３５ａの外径を電線挿通孔３１の内径に対応した寸法に設定し、基部３５ａを電線挿入口３３から電線挿通孔３１の入口部に嵌入あるいは螺合させて雌ねじ部材３２に固着するようにしてもよい。
【００２５】
また、本形態例においても、筒状ガイド部３５の外面は、他の電線１４に結合した圧着端子１５を雌ねじ部材３２の突出端にワッシャ３６を介して、あるいは直接、締付ボルト３４で締付固定する際の障害とならないように、他の電線１４を挟持する挟持部材の電線挟持面となる雌ねじ部材３２の突出端面３２ａの延長線３２ｂよりも突出しない形状としておくことにより、雌ねじ部材３２への圧着端子１５の接続を確実に行うことができる。さらに、筒状ガイド部３５の外面を雌ねじ部材３２の外径の範囲内に納めておくことにより、隣接配置される他の入出力端子との間隔を広げる必要がなくなる。
【００２６】
図１０及び図１１は、第２形態例の変形例をそれぞれ示すもので、図１０は底面図、図１１は正面図である。図１０に示すものは、前記筒状ガイド部３５の先端３５ｂの形状を長方形とし、全体的な形状を角錐状としている。図１１に示すものは、端子板１６に雌ねじ部材３２と共締めされるアングル状の支持部材３７によって筒状ガイド部３５の基部３５ａを支持するとともに、筒状ガイド部３５の基端３５ｄを電線挿入口３３から電線挿通孔３１内に挿入することにより、筒状ガイド部３５を所定位置に保持するようにしている。
【図面の簡単な説明】
【００２７】
【図１】本発明の入出力端子の第１形態例を示す要部の断面正面図である。
【図２】底面図である。
【図３】構成部材の説明図である。
【図４】第１形態例の変形例を示す要部の正面図である。
【図５】第１形態例の他の変形例を示す要部の正面図である。
【図６】第１形態例の更に他の変形例を示す要部の正面図である。
【図７】本発明の入出力端子の第２形態例を示す要部の断面正面図である。
【図８】側面図である。
【図９】底面図である。
【図１０】第２形態例の変形例を示す底面図である。
【図１１】第２形態例の他の変形例を示す底面図である。
【符号の説明】
【００２８】
１１…入出力端子、１２…端子ボルト、１３…電線（裸電線）、１４…電線、１５…圧着端子、１６…端子板、１６ａ…通孔、１７…回転止め部材、１７ａ…一端面（下端面）、１７ｂ…電線挟持面、１７ｃ…傾斜面、１８…固定ナット、１９…係合ピン、２０…板状金具、２０ａ…ボルト挿通孔、２０ｂ…一側端部、２１…溝形金具、２１ａ…ボルト挿通孔、２１ｂ…電線挟持面、２２…ワッシャ、２３…スプリングワッシャ、２４…締付ナット、２５…電線ガイド面、２６…筒状ガイド部、３１…電線挿通孔、３２…雌ねじ部材、３２ａ…突出端面、３２ｂ…延長線、３３…電線挿入口、３４…締付ボルト、３５…筒状ガイド部、３５ａ…基部、３５ｂ…先端、３５ｃ…電線ガイド面、３５ｄ…基端、３６…ワッシャ、３７…支持部材
【図１】
2006260937.tif 000003
【図２】
2006260937.tif 000004
【図３】
2006260937.tif 000005
【図４】
2006260937.tif 000006
【図５】
2006260937.tif 000007
【図６】
2006260937.tif 000008
【図７】
2006260937.tif 000009
【図８】
2006260937.tif 000010
【図９】
2006260937.tif 000011
【図１０】
2006260937.tif 000012
【図１１】
2006260937.tif 000013